(57)【特許請求の範囲】
【請求項１】
送信データを含む第１の無線周波数信号を生成して第１の無線伝送路に送信する送信装置と、
前記第１の無線伝送路を介して前記第１の無線周波数信号を受信するとともに、前記送信データを含む第２の無線周波数信号を生成して第２の無線伝送路に中継送信する中継装置と、を備え、
前記送信装置は、第１の送信モードと第２の送信モードとの間で切り替え可能であり、
前記第１の送信モードは、第１の符号化規則に従った伝送路符号化を前記送信データに対して行った後に前記第１の無線伝送路に送信するモードであり、
前記第２の送信モードは、前記第１の符号化規則とは異なる第２の符号化規則に従った伝送路符号化を前記送信データに対して行った後に前記第１の無線伝送路に送信するモードであり、
前記中継装置は、前記第１の送信モードに対応した第１の中継モードと前記第２の送信モードに対応した第２の中継モードとの間で切り替え可能であり、
前記第１の中継モードは、前記第１の無線周波数信号から復調された受信データ列に対して前記第１の符号化規則に対応した伝送路復号化を行うとともに、復号化後のデータ列に対して前記第２の符号化規則に従った伝送路符号化を実行した後に前記第２の無線伝送路に送信するモードであり、
前記第２の中継モードは、前記第１の符号化規則に対応した伝送路復号化及び前記第２の符号化規則に従った伝送路符号化を省略して、前記受信データ列を前記第２の無線伝送路に送信するモードであり、
前記送信装置及び前記中継装置は、（ａ）前記第１の無線伝送路の品質が予め定められた品質レベルを超えて良好である場合、又は（ｂ）前記送信装置及び前記中継装置の間の通信距離が予め定められた距離以下となる場合に、前記第１の送信モード及び前記第１の中継モードから前記第２の送信モード及び第２の中継モードにそれぞれ遷移する、
無線中継システム。
【請求項２】
前記中継装置は、前記第１の無線伝送路の品質が予め定められた品質レベルを超えて良好である場合に、前記第１の中継モードから前記第２の中継モードに切り替える、請求項１に記載の無線中継システム。
【請求項３】
前記送信装置は、前記中継装置における中継モードの切り替えに応答して、前記第１の送信モードと前記第２の送信モードの切り替えを行う、請求項２に記載の無線中継システム。
【請求項４】
前記送信装置は、前記第１の無線伝送路の品質が予め定められた品質レベルを超えて良好である場合に、前記第１の送信モードから前記第２の送信モードに切り替える、請求項１〜３のいずれか１項に記載の無線中継システム。
【請求項５】
前記中継装置は、前記送信装置における送信モードの切り替えに応答して、前記第１の中継モードと前記第２の中継モードの切り替えを行う、請求項４に記載の無線中継システム。
【請求項６】
前記第２の送信モードにおいて、前記送信装置は、前記第１の無線伝送路の制御のために前記中継装置に送信する制御データに対しては前記第１の符号化規則に従った伝送路符号化を継続する、請求項１〜５のいずれか１項に記載の無線中継システム。
【請求項７】
前記第２の中継モードにおいて、前記中継装置は、前記第１の無線伝送路の制御のために前記送信装置から受信する制御データに対しては前記第１の符号化規則に従った伝送路復号化を継続する、請求項１〜６のいずれか１項に記載の無線中継システム。
【請求項８】
前記送信装置及び前記中継装置の間の通信距離が予め定められた距離以下となる場合に、前記送信装置及び前記中継装置は、前記第１の送信モード及び前記第１の中継モードから前記第２の送信モード及び第２の中継モードにそれぞれ遷移する、請求項１〜７のいずれか１項に記載の無線中継システム。
【請求項９】
前記送信装置は、
前記第１又は前記第２の符号化規則を選択的に用いて前記送信データを伝送路符号化する第１の符号化手段と、
前記第１の符号化手段によって伝送路符号化された第１の符号化データ列を、第１の送信シンボル列に変換する第１のマッピング手段と、
前記第１の送信シンボル列を第１の搬送波と掛け合わせて前記第１の無線周波数信号を生成し、前記第１の無線伝送路に送信する第１の無線送信手段と、を備え、
前記中継装置は、
前記第１の無線伝送路を介して受信された前記第１の無線周波数信号から受信シンボル列を抽出する受信手段と、
前記受信シンボル列から前記受信データ列を復調するデマッピング手段と、
前記第１の符号化規則に対応した伝送路復号化を前記受信データ列に対して行い、前記送信データを復元する復号化手段と、
前記復号化手段によって復元された前記送信データに対して、前記第２の符号化規則に従って伝送路符号化を行う第２の符号化手段と、
前記第２の符号化手段によって伝送路符号化された第２の符号化データ列および前記デマッピング手段によって復調された前記受信データ列のいずれか一方を選択的に入力し、入力されたデータ列を前記第２の無線伝送路に対応した第２の送信シンボル列に変換する第２のマッピング手段と、
前記第２の送信シンボル列を第２の搬送波と掛け合わせて前記第２の無線周波数信号を生成し、前記第２の無線伝送路に送信する第２の無線送信手段と、を備え、
前記第１の符号化手段が前記第１の符号化規則による伝送路符号化を行う場合に、前記第２のマッピング手段は前記第２の符号化データ列から前記第２の送信シンボル列を生成し、
前記第１の符号化手段が前記第２の符号化規則による伝送路符号化を行う場合に、前記第２のマッピング手段は前記受信データ列から前記第２の送信シンボル列を生成する、
請求項１〜８のいずれか１項に記載の無線中継システム。
【請求項１０】
前記中継装置は、携帯電話端末である、請求項１〜９のいずれか１項に記載の無線中継システム。
【請求項１１】
前記第１の無線伝送路は、無線ＰＡＮ（Personal Area Network）又は無線ＬＡＮ（Local Area Network）であり、
前記第２の無線伝送路は、前記第１の無線伝送路より遠距離通信が可能な無線通信網である、請求項１〜１０のいずれか１項に記載の無線中継システム。
【請求項１２】
前記第１の符号化規則は、ＵＷＢ（Ultra Wide band）に適応しており、
前記第２の符号化規則は、無線ＬＡＮ、モバイルＷｉＭＡＸ、Ｗ−ＣＤＭＡ、ＣＤＭＡ２０００、ＬＴＥ及びＩＭＴ−Ａｄｖａｎｃｅｄの少なくとも１つに適応している、請求項１〜１０のいずれか１項に記載の無線中継システム。
【請求項１３】
第１の無線伝送路を介して第１の無線周波数信号を受信するとともに、前記第１の無線周波数信号に含まれていた送信データを含む第２の無線周波数信号を生成して第２の無線伝送路に中継送信する中継装置と、
前記第２の無線伝送路を介して前記第２の無線周波数信号を受信する受信装置と、を備え、
前記中継装置は、第１の中継モードと第２の中継モードとの間で切り替え可能であり、
前記第１の中継モードは、前記第１の無線周波数信号から復調された受信データ列に対して第１の符号化規則に対応した伝送路復号化を行うとともに、復号化後のデータ列に対して前記第１の符号化規則とは異なる第２の符号化規則に従った伝送路符号化を実行した後に前記第２の無線伝送路に送信するモードであり、
前記第２の中継モードは、前記第１の符号化規則に対応した伝送路復号化及び前記第２の符号化規則に従った伝送路符号化を省略して、前記受信データ列を前記第２の無線伝送路に送信するモードであり、
前記受信装置は、前記第１の中継モードに対応した第１の受信モードと前記第２の中継モードに対応した第２の受信モードとの間で切り替え可能であり、
前記第１の受信モードは、前記第２の無線周波数信号から復調されたデータ列に対して前記第２の符号化規則に対応した伝送路復号化を行うことにより、前記送信データを復元するモードであり、
前記第２の受信モードは、前記第２の無線周波数信号から復調されたデータ列に対して前記第１の符号化規則に対応した伝送路復号化を行って前記送信データを復元するモードであり、
前記受信装置及び前記中継装置は、（ａ）前記第２の無線伝送路の品質が予め定められた品質レベルを超えて良好である場合、又は（ｂ）前記受信装置及び前記中継装置の間の通信距離が予め定められた距離以下となる場合に、前記第１の受信モード及び前記第１の中継モードから前記第２の受信モード及び第２の中継モードにそれぞれ遷移する、
無線中継システム。
【請求項１４】
前記受信装置及び前記中継装置は、前記第２の無線伝送路の品質が予め定められた品質レベルを超えて良好である場合に、前記第１の受信モード及び前記第１の中継モードから前記第２の受信モード及び第２の中継モードにそれぞれ遷移する、請求項１３に記載の無線中継システム。
【請求項１５】
前記受信装置は、前記中継装置における中継モードの切り替えに応答して、前記第１の受信モードと前記第２の受信モードの切り替えを行う、請求項１３又は１４に記載の無線中継システム。
【請求項１６】
前記中継装置は、前記受信装置における受信モードの切り替えに応答して、前記第１の中継モードと前記第２の中継モードの切り替えを行う、請求項１３〜１５のいずれか１項に記載の無線中継システム。
【請求項１７】
前記第２の受信モードにおいて、前記受信装置は、前記第２の無線伝送路の制御のために前記中継装置から受信する制御データに対しては前記第２の符号化規則に対応した伝送路復号化を継続する、請求項１３〜１６のいずれか１項に記載の無線中継システム。
【請求項１８】
前記第２の中継モードにおいて、前記中継装置は、前記第２の無線伝送路の制御のために前記受信装置に送信する制御データに対しては前記第２の符号化規則に従った伝送路符号化を継続する、請求項１３〜１７のいずれか１項に記載の無線中継システム。
【請求項１９】
第１の無線伝送路を介して第１の無線周波数信号を受信するとともに、前記第１の無線周波数信号に含まれていた送信データを含む第２の無線周波数信号を生成して第２の無線伝送路に中継送信する中継装置であって、
第１の中継モードと第２の中継モードとを切り替え可能な中継手段と、
前記第１及び第２の中継モードの切り替えを制御する制御手段と、を備え、
前記第１の中継モードは、前記第１の無線周波数信号から復調された受信データ列に対して第１の符号化規則に対応した伝送路復号化を行うとともに、復号化後のデータ列に対して前記第１の符号化規則とは異なる第２の符号化規則に従った伝送路符号化を実行した後に前記第２の無線伝送路に送信するモードであり、
前記第２の中継モードは、前記第１の符号化規則に対応した伝送路復号化及び前記第２の符号化規則に従った伝送路符号化を省略して、前記受信データ列を前記第２の無線伝送路に送信するモードであり、
前記制御手段は、（ａ）前記第１の無線伝送路の品質が予め定められた品質レベルを超えて良好である場合、（ｂ）前記第１の無線周波数信号を送信する送信装置と前記中継装置との間の通信距離が予め定められた距離以下となる場合、（ｃ）前記第２の無線伝送路の品質が予め定められた品質レベルを超えて良好である場合、又は（ｄ）前記中継装置と前記第２の無線周波数信号を受信する受信装置との間の通信距離が予め定められた距離以下となる場合に、前記第１の中継モードから第２の中継モードに切り替える、
中継装置。
【請求項２０】
前記第２の中継モードにおいて、前記中継手段は、前記第１の無線周波数信号に含まれる前記第１の無線伝送路に関する制御データに対しては前記第１の符号化規則に従った伝送路復号化を継続する、請求項１９に記載の中継装置。
【請求項２１】
前記中継手段は、
前記第１の無線周波数信号から受信シンボル列を抽出する受信手段と、
前記受信シンボル列から受信データ列を復調するデマッピング手段と、
前記第１の符号化規則に対応した伝送路復号化を前記受信データ列に対して行い、前記送信データを復元する復号化手段と、
前記復号化手段によって復元された前記送信データに対して、前記第２の符号化規則に従って伝送路符号化を行う符号化手段と、
前記符号化手段によって伝送路符号化された符号化データ列および前記デマッピング手段によって復調された前記受信データ列のいずれか一方を選択的に入力し、入力されたデータ列を前記第２の無線伝送路に対応した送信シンボル列に変換するマッピング手段と、
前記送信シンボル列を搬送波と掛け合わせて前記第２の無線周波数信号を生成し、前記第２の無線伝送路に送信する無線送信手段と、
を備え、
前記制御手段は、前記符号化データ列及び前記受信データ列のいずれを前記送信シンボル列の生成に使用するかを切り替える、
請求項１９又は２０に記載の中継装置。
【請求項２２】
前記制御手段は、前記第１又は第２の無線伝送路の品質レベルに応じて、前記送信シンボル列の生成に使用するデータ列を決定する、請求項２１に記載の中継装置。
【請求項２３】
前記制御手段は、前記受信装置又は前記送信装置の通信モードの切り替えに応じて、前記送信シンボル列の生成に使用するデータ列を決定する、請求項２１に記載の中継装置。
【請求項２４】
前記第１の無線伝送路は、無線ＰＡＮ（Personal Area Network）又は無線ＬＡＮ（Local Area Network）であり、
前記第２の無線伝送路は、前記第１の無線伝送路より遠距離通信が可能な無線通信網であり、
前記制御手段は、（ａ）前記第１の無線伝送路の品質が予め定められた品質レベルを超えて良好である場合、又は（ｂ）前記第１の無線周波数信号を送信する送信装置と前記中継装置との間の通信距離が予め定められた距離以下となる場合に、前記第１の中継モードから第２の中継モードに切り替える、
請求項１９〜２３のいずれか１項に記載の中継装置。
【請求項２５】
前記第２の無線伝送路は、無線ＰＡＮ（Personal Area Network）又は無線ＬＡＮ（Local Area Network）であり、
前記第１の無線伝送路は、前記第２の無線伝送路より遠距離通信が可能な無線通信網であり、
前記制御手段は、（ｃ）前記第２の無線伝送路の品質が予め定められた品質レベルを超えて良好である場合、又は（ｄ）前記中継装置と前記第２の無線周波数信号を受信する受信装置との間の通信距離が予め定められた距離以下となる場合に、前記第１の中継モードから第２の中継モードに切り替える、
請求項１９〜２３のいずれか１項に記載の中継装置。
【請求項２６】
第１の無線伝送路を介して送信データを含む第１の無線周波数信号を受信するとともに、前記送信データを含む第２の無線周波数信号を生成して第２の無線伝送路に中継送信する中継装置のデータ中継方法であって、
（ａ）前記第１の無線伝送路の品質が予め定められた品質レベルを超えて良好である場合、（ｂ）前記第１の無線周波数信号を送信する送信装置と前記中継装置との間の通信距離が予め定められた距離以下となる場合、（ｃ）前記第２の無線伝送路の品質が予め定められた品質レベルを超えて良好である場合、又は（ｄ）前記中継装置と前記第２の無線周波数信号を受信する受信装置との間の通信距離が予め定められた距離以下となる場合に、第１の中継モードから第２の中継モードへ切り替える第１のステップを備え、
前記第１の中継モードは、前記第１の無線周波数信号から復調された受信データ列に対して第１の符号化規則に対応した伝送路復号化を行うとともに、復号化後のデータ列に対して前記第１の符号化規則とは異なる第２の符号化規則に従った伝送路符号化を実行した後に前記第２の無線伝送路に送信するモードであり、
前記第２の中継モードは、前記第１の符号化規則に対応した伝送路復号化及び前記第２の符号化規則に従った伝送路符号化を省略して、前記受信データ列を前記第２の無線伝送路に送信するモードである、
データ中継方法。
【請求項２７】
前記第１のステップは、前記第１又は第２の無線伝送路の品質が予め定められた品質レベルを超えて良好である場合に、前記第１の中継モードから前記第２の中継モードへ切り替えることを備える、請求項２６に記載の方法。
【請求項２８】
前記送信装置又は前記受信装置の通信モードの切り替えに応答して、前記第１の中継モードから前記第２の中継モードへ切り替える第２のステップをさらに備える、請求項２６に記載の方法。
【請求項２９】
前記第１の無線伝送路は、無線ＰＡＮ（Personal Area Network）又は無線ＬＡＮ（Local Area Network）であり、
前記第２の無線伝送路は、前記第１の無線伝送路より遠距離通信が可能な無線通信網であり、
前記第１のステップは、（ａ）前記第１の無線伝送路の品質が予め定められた品質レベルを超えて良好である場合、又は（ｂ）前記第１の無線周波数信号を送信する送信装置と前記中継装置との間の通信距離が予め定められた距離以下となる場合に、前記第１の中継モードから第２の中継モードに切り替えることを備える、
請求項２６〜２８のいずれか１項に記載の方法。
【請求項３０】
前記第２の無線伝送路は、無線ＰＡＮ（Personal Area Network）又は無線ＬＡＮ（Local Area Network）であり、
前記第１の無線伝送路は、前記第２の無線伝送路より遠距離通信が可能な無線通信網であり、
前記第１のステップは、（ｃ）前記第２の無線伝送路の品質が予め定められた品質レベルを超えて良好である場合、又は（ｄ）前記中継装置と前記第２の無線周波数信号を受信する受信装置との間の通信距離が予め定められた距離以下となる場合に、前記第１の中継モードから第２の中継モードに切り替えることを備える、
請求項２６〜２８のいずれか１項に記載の方法。
【発明の詳細な説明】
【技術分野】
【０００１】
本発明は、ＷＰＡＮ（Wireless Personal Area Network）とＷＷＡＮ（Wireless Wide Area Network）の間などの異なる無線ネットワーク間でデータを中継する中継局を含む無線中継システムに関する。
【背景技術】
【０００２】
ノート型ＰＣ（Personal Computer）等の携帯情報機器と携帯電話端末との間をケーブル接続することで、携帯情報機器の送信データを携帯電話公衆網に転送する利用形態が知られている。【０００３】
また、無線又は有線の通信装置に関する先行文献として、特許文献１〜７が存在する。【０００４】
特許文献１に開示された有線通信装置は、ＬＡＮから受信した受信パケットの誤り検出を行い、情報ヘッダ部分に誤りが存在する等の重大な誤りが発生している場合に受信パケットを廃棄する。また、軽微な誤りが発生しているのみであれば、パケット廃棄および誤り訂正を行うことなくそのまま受信パケットを他のＬＡＮへ転送する。【０００５】
特許文献２は、人工衛星に搭載されるデジタル放送信号用の無線中継装置を開示している。当該無線中継装置は、アップリンク波の受信信号レベル又は誤り率に基づいて品質劣化を検知した場合に、アップリンク波とは異なる変調方式によってダウンリンク波を変調する。【０００６】
特許文献３に開示された光ファイバ伝送用の中継装置は、ＦＥＣ（Forward Error Correction）符号化されたペイロードデータとＢＩＰ（Bit Interleaved Parity）演算結果を含むオーバヘッドデータとを有するデータを中継する。当該中継装置は、受信データに対するＦＥＣ復号処理を行わずにパリティチェックのみを行い、チェック結果をオーバヘッドデータに付加して次段の装置に転送する。【０００７】
特許文献４に開示された衛星通信用の通信装置は、受信信号の品質に基づいて衛星回線品質を判定する。そして、当該通信装置は、回線品質の判定結果に応じて、送信データパケットの連続送信回数とパケット中のユーザデータ長を変更する。【０００８】
特許文献５は、移動無線通信システムにおいて基地局と移動局との間の信号中継に使用される中継装置を開示している。当該中継装置は、復調（シンボルデマッピング）および誤り訂正復号を行わずに信号中継を行う。【０００９】
特許文献６に開示されたパケット中継装置は、誤り訂正復号化を行わずに受信パケットを転送すると同時に、当該受信パケットの誤り訂正復号を並行して実行する。そして、当該パケット中継装置は、下流側の装置が復号できなかった場合に、復号済みのパケットを再符号化して下流側の装置に送信する。【００１０】
特許文献７は、デジタルデータ放送用の中継装置を開示している。当該中継装置は、受信したデータ放送搬送波信号の受信レベルが低下した場合または受信パケットの誤り訂正復号処理において誤りを検出した場合に、受信パケットを中継することなく廃棄する。
【先行技術文献】
【特許文献】
【００１１】
【特許文献１】特開２００８−１７０１６号公報
【特許文献２】特開２００６−５０２０５号公報
【特許文献３】特開２００１−１８６０６１号公報
【特許文献４】特開平０６−１１２８７４号公報
【特許文献５】特開２００８−４８２３７号公報
【特許文献６】特開２００７−３２５３２０号公報
【特許文献７】特開２０００−２０９２７３号公報
【発明の概要】
【発明が解決しようとする課題】
【００１２】
本願の発明者は、２つの異なる無線ネットワークに接続可能な無線通信装置を中継局として利用する形態について検討を行った。例えば、携帯電話公衆網に接続するためのＷＷＡＮ通信回路およびＷＰＡＮに接続するためのＷＰＡＮ通信回路を有する携帯電話端末が存在する。このような携帯電話端末とＷＰＡＮ端末（例えばパーソナルコンピュータ）がＷＰＡＮによって接続される場合、携帯電話端末は、ＷＰＡＮ端末の送信データをＷＷＡＮ（つまり携帯電話公衆網）内の基地局に転送できる。つまり、携帯電話端末は、ＷＰＡＮとＷＷＡＮの間でデータを中継するブリッジとして動作する。【００１３】
一般的に、ＷＰＡＮで規定される伝送路符号化方式とＷＷＡＮで規定される伝送路符号化方式は異なる。よって、携帯電話端末などの中継局は、ＷＰＡＮ端末などのエンド端末から無線信号を受信し、ＷＰＡＮに対応した伝送路復号化を行って受信データを復元し、さらに、復元したデータにＷＷＡＮに対応した伝送路符号化を改めて施した後に、ＷＷＡＮに送信しなければならない。したがって、中継局では、中継するデータの伝送路復号化および再符号化に要する消費電力の増大が生じるという問題がある。【００１４】
一方、端末の移動性や妨害波の影響を受けやすいという事情から、無線伝送路の品質は有線伝送路に比べて変動が大きいという特徴がある。このため、特許文献３に開示された光ファイバ伝送用の中継装置のように、中継局における伝送路復号化（誤り訂正復号化）を常に省略したのでは、符号誤りが多発し実効的な通信速度を低下させるおそれがある。【００１５】
なお、特許文献６に開示されたパケット中継装置は、誤り訂正復号化を省略した受信パケット転送処理と同時並行して、当該受信パケットに対する誤り訂正復号化を実行する。つまり、受信パケットに対する誤り訂正復号化は常時実行されているため、消費電力の低減には寄与しないものと考えられる。【００１６】
本発明は上述した知見に基づいてなされたものであって、上述した携帯電話端末などの無線中継局における伝送路復号化及び再符号化に伴う消費電力の削減を目的とする。
【課題を解決するための手段】
【００１７】
本発明の第１の態様にかかる無線中継システムは、送信装置と中継装置を含む。前記送信装置は、送信データを含む第１の無線周波数信号を生成して第１の無線伝送路に送信する。また、前記中継装置は、前記第１の無線伝送路を介して前記第１の無線周波数信号を受信するとともに、前記送信データを含む第２の無線周波数信号を生成して第２の無線伝送路に中継送信する。【００１８】
前記送信装置は、第１の送信モードと第２の送信モードとの間で切り替え可能である。ここで、前記第１の送信モードは、第１の符号化規則に従った伝送路符号化を前記送信データに対して行った後に前記第１の無線伝送路に送信するモードである。一方、前記第２の送信モードは、前記第１の符号化規則とは異なる第２の符号化規則に従った伝送路符号化を前記送信データに対して行った後に前記第１の無線伝送路に送信するモードである。【００１９】
さらに、前記中継装置は、前記第１の送信モードに対応した第１の中継モードと前記第２の送信モードに対応した第２の中継モードとの間で切り替え可能である。前記第１の中継モードは、前記第１の無線周波数信号から復調された受信データ列に対して前記第１の符号化規則に対応した伝送路復号化を行うとともに、復号化後のデータ列に対して前記第２の符号化規則に従った伝送路符号化を実行した後に前記第２の無線伝送路に送信するモードである。一方、前記第２の中継モードは、前記第１の符号化規則に対応した伝送路復号化及び前記第２の符号化規則に従った伝送路符号化を省略して、前記受信データ列を前記第２の無線伝送路に送信するモードである。
【発明の効果】
【００２０】
上述した本発明の第１の態様によれば、無線中継装置における伝送路復号化及び再符号化に伴う消費電力を削減できる。また、本発明の第１の態様は、伝送路復号化及び再符号化を省略しない第１の中継モードと省略する第２の中継モードとを切り替え可能である。このため、例えば、伝送路品質が低い場合には第１の中継モードを選択することで、符号誤りの多発に起因して実効的な通信速度が低下することを防止できる。
【図面の簡単な説明】
【００２１】
【図１】本発明の実施の形態にかかる無線中継システムの構成図である。
【図２】図１に示す近距離無線局に関するブロック図ある。
【図３】図１に示す中継局に関するブロック図である。
【図４】伝送路ＣＯＤＥＣの構成例を示すブロック図である。
【図５】ＷＰＡＮ送受信部の構成例を示すブロック図である。
【図６】ＷＷＡＮ無線送受信部の構成例を示すブロック図である。
【図７Ａ】通常モードの信号転送経路を示す概念図である。
【図７Ｂ】バイパスモードの信号転送経路を示す概念図である。
【図８】通信モード変更の判定手順の一例を示すフローチャートである。
【図９】図1に示す無線中継システムによるデータ中継手順を示すシーケンス図である。
【図１０】図1に示す無線中継システムにおけるデータ送受信タイミングを示す図である。
【発明を実施するための形態】
【００２２】
以下では、本発明を適用した具体的な実施の形態について、図面を参照しながら詳細に説明する。各図面において、同一要素には同一の符号が付されており、説明の明確化のため、必要に応じて重複説明は省略される。
【００２３】
＜発明の実施の形態１＞
図１は、本実施の形態にかかる無線中継システムを示している。当該無線中継システムは、近距離無線局１及び中継局２を有する。無線局１は、中継局２と接続可能なＷＰＡＮインタフェースを有する。ＷＰＡＮは、数十ｃｍ〜数十ｍ程度の通信可能距離を有する近距離無線ネットワークの総称である。例えば、ＷＰＡＮには、ＩＥＥＥ８０２．１５委員会にて標準化が議論されているＵＷＢ、Ｂｌｕｅｔｏｏｔｈ（登録商標）、ＺｉｇＢｅｅ等がある。無線局１は、ユーザデータを含む無線周波数信号Ｒ１を中継局２との間で送受信する。
【００２４】
中継局２は、近距離無線局１と接続するためのＷＰＡＮインタフェースと、基地局５０に接続するためのＷＷＡＮインタフェースを有する。ＷＷＡＮは、基地局及び移動局の間の無線アクセスネットワークと、一般的には有線伝送路により構築されるコアネットワークによって構築される広域な無線ネットワークの総称である。例えば、ＷＷＡＮには、３ＧＰＰ（Third Generation Partnership Project）により標準化が進められている３Ｇ携帯電話網（ＷＣＤＭＡ：Wideband CDMA、ＣＤＭＡ２０００、ＬＴＥ：Long Term Evolution）及び４Ｇ携帯電話網（ＩＭＴ−Ａｄｖａｎｃｅｄ）、ＩＥＥＥで承認されたモバイルＷｉＭＡＸ等がある。中継局２は、ＷＰＡＮを経由して無線局１から受信したユーザデータを、無線周波数信号（ＲＦ２）に乗せて基地局５０に中継する。また、中継局２は、基地局５０から受信したユーザデータを、無線周波数信号（ＲＦ１）に乗せて無線局１に中継する。
【００２５】
中継局２は、ユーザデータの中継処理に際して、ユーザデータの誤り訂正復号化及び再符号化を行う中継モードと、誤り訂正復号化及び再符号化を省略し受信信号から復元した符号化データをそのまま中継する中継モードを切り替えることができる。以下では、誤り訂正復号化及び再符号化を行う中継モードを「通常モード」と呼び、これらの処理を省略する中継モードを「バイパスモード」と呼ぶ。
【００２６】
また、中継局２の中継モードの切り替えに対応するため、近距離無線局１は、ユーザデータの伝送路符号化及び復号化に用いる伝送路符号化規則を、ＷＰＡＮに適合した規則とＷＷＡＮに適合した規則との間で切り換えることができる。以下では、ＷＰＡＮに適合した符号化規則を用いて伝送路符号化及び復号化を行う無線局１の通信モードを、中継局２の中継モードに対する呼称に対応させて「通常モード」と呼ぶ。一方、ＷＷＡＮに対応した符号化規則を用いて伝送路符号化及び復号化を行う無線局１の通信モードを「バイパスモード」と呼ぶ。
【００２７】
続いて以下では、通常モードとバイパスモードの切り替えに対応した無線局１及び中継局２の構成例について図２〜７Ｂを用いて説明する。
【００２８】
図２は、近距離無線局１の構成例を示すブロック図である。図２において、ＷＰＡＮ伝送路コーデック１０は、ＷＰＡＮに適合した伝送路符号化規則に基づいて、送信データに対する伝送路符号化と、受信データに対する伝送路復号化を行う。伝送路符号化の典型例にＦＥＣ符号化方式がある。ＦＥＣ符号化方式として、ブロック符号化もしくは畳み込み符号化またはこれらを組み合わせた方式、畳み込み符号化の発展形としてのターボ符号化などが知られている。符号化方式及びその符号化率の選択は、無線伝送路の特性、必要な伝送速度、遅延許容量等の様々な要因を考慮して決定される。
【００２９】
ＷＷＡＮ伝送路コーデック１１は、ＷＷＡＮに適合した伝送路符号化規則に基づいて、送信データに対する伝送路符号化と、受信データに対する伝送路復号化を行う。伝送路符号化／復号化の規則が異なる点を除き、コーデック１１の主要な構成は、上述したコーデック１０と同様とすればよい。
【００３０】
ＷＰＡＮ送受信部（無線ＴＸ／ＲＸ）１２は、コーデック１０又は１１によって符号化された符号化データ列を送信シンボル列に変換し、送信シンボル列を搬送波周波数と掛け合わせて無線周波数信号（ＲＦ１）を生成する。生成された無線周波数信号は、アンテナ１３から出力される。また、ＷＰＡＮ送受信部１２は、アンテナ１３により受信された無線周波数信号から符号化データ列を復調し、これをコーデック１０又は１１に供給する。
【００３１】
モード制御部１４は、通常モードとバイパスモードの切り替えを制御する。通常モードでは、中継局２を経由してＷＷＡＮに転送されるユーザデータは、ＷＰＡＮ伝送路コーデック１１により符号化される。一方、バイパスモードでは、ユーザデータは、ＷＷＡＮ伝送路コーデック１１により符号化される。中継局２を経由してＷＷＡＮから受信されるユーザデータについても同様である。
【００３２】
なお、バイパスモードを使用する場合であっても、ＷＰＡＮの制御ために無線局１と中継局２との間で転送される制御データの符号化／復号化は、ＷＰＡＮに適合したコーデック１０が行えばよい。ＷＰＡＮの制御ために無線局１と中継局２との間で転送される制御データには、例えば、データ部分の伝送速度を指定する情報、変調方式を指定する情報、符号化方式を指定する情報、これらの制御に必要なフィードバック情報等が含まれる。例えば、ＵＷＢの場合、ＰＬＣＰヘッダの符号化／復号化は、バイパスモードを使用する場合にも継続的にＷＰＡＮ伝送路コーデック１０が行えばよい。
【００３３】
上述した、伝送路コーデック１０の構成例を図４に示す。ＦＥＣエンコーダ１０００は、ＷＰＡＮに適合したＦＥＣ符号化方式によって送信データを符号化する。ＦＥＣエンコーダ１０００では、所望の符号化率を達成するために、レートマッチング（間引き）処理を行ってもよい。インタリーバ１００１は、エンコーダ１０００によって生成された符号化データ列のビット順序の並べ替え（インタリービング）を行う。インタリーバ１００１は、ＷＰＡＮに適合したビット置換規則に従ってインタリービングを実行する。
【００３４】
デインタリーバ１００４は、受信したＲＦ信号から復調された符号化データ列に対してインタリービングの逆処理（デインタリービング）を行うことにより、ビット順序を元に戻す。誤り訂正デコーダ１００３は、送信側で施されたＦＥＣ符号化に基づいて受信データの誤り訂正を行い、受信データを復元する。なお、伝送路コーデック１０は、伝送路符号化／復号化のみを行い、インタリービング／デインタリービングを省略してもよい。インタリービング／デインタリービングは、バースト誤りに対処するために無線通信において一般的に採用されているが省略も可能である。
【００３５】
次に、ＷＰＡＮ送受信部１２の構成例について図５を用いて説明する。図５は、一例としてＯＦＤＭ（Orthogonal Frequency Division Multiplexing）方式の無線送受信部１２を示している。ＯＦＤＭを採用するＷＰＡＮには、例えば、ＵＷＢ、ワイヤレスＵＳＢ（Universal Serial Bus）等がある。
【００３６】
マルチプレクサ１２００は、コーデック１０又は１１によって符号化されたユーザデータと、コーデック１０によって符号化された制御データ／制御チャネルを多重化する。シンボルマッパ１２０１は、マルチプレクサから供給される符号化データ列を複素シンボル列に変換する。シンボルマッパ１２０１によるマッピングは、ＷＰＡＮが採用する変調方式に従って行われる。
【００３７】
ＩＦＦＴ部１２０２は、ＷＰＡＮ所定のＦＦＴサイズに対応したＮ個のシンボルを一括変換し、Ｎ個のＯＦＤＭシンボルを生成する。また、ＩＦＦＴ部１２０２は、生成したＯＦＤＭシンボル間へのガードインターバル（サイクリック・プリフィックス）の挿入を行う。ガードインターバル挿入後のＯＦＤＭシンボルは、ＤＡコンバータ１２０３によって連続信号に変換された後に直交変調部１２０４に供給される。
【００３８】
直交変調部１２０４は、ローカル発振器１２０６により生成される搬送波周波数信号とＤＡコンバータ１２０３から供給されるベースバンド信号を掛け合わせて無線周波数信号（ＲＦ１）を生成する。無線周波数信号は、送信パワーアンプ１２０５によって増幅された後にアンテナ１３に供給される。
【００３９】
低雑音アンプ１２０７からデマルチプレクサ１２１２に至る信号経路では、アンテナ１３により受信された無線周波数信号に対して上述した送信信号に対する処理と逆の処理が行われる。低雑音アンプ１２０７は、アンテナ１３により受信された無線周波数信号を増幅して直交復調部１２０８に供給する。
【００４０】
直交復調部１２０８は、受信した無線周波数信号を搬送波周波数信号と掛け合わせることで、ベースバンド帯域にダウンコンバートする。ダウンコンバート後の受信信号は、ＡＤコンバータ１２０９によりサンプリングされた後にＦＦＴ部１２１０に供給される。
【００４１】
ＦＦＴ部１２１０は、サンプリング後の受信信号に対するＦＦＴ演算を実行することによってＯＦＤＭ復調を行い、シンボル列を生成する。シンボルデマッパ１２１１は、ＦＦＴ部１２１０によって生成された受信シンボル列に対する判定処理を行って、受信データ列を復調する。デマルチプレクサ１２１２は、ユーザデータと制御データを分離する。
【００４２】
なお、図５に示すＷＰＡＮ送受信部１２の構成が一例に過ぎないことはもちろんである。例えば、ベースバンド信号と無線周波数信号との変換は、中間周波数を経由して行われてもよい。また、ＷＰＡＮ送受信部１２が、ＯＦＤＭ方式に限定されないことは勿論である。例えば、ＷＰＡＮがＤＳ−ＳＳ（Direct Sequence Spread Spectrum）方式を採用している場合、変復調に関するＷＰＡＮ送受信部１２の基本構成は、図６に示すＷＣＤＭＡ用の無線送受信機とすればよい。
【００４３】
続いて以下では、中継局２の構成例について詳しく説明する。図３は、中継局２の構成例を示すブロック図である。ＷＰＡＮ送受信部２１は、アンテナ２０を介して無線局１のＷＰＡＮ送受信部１２との間で無線通信を行う。まず、通常モード時の動作について説明する。通常モードでは、ＷＰＡＮ送受信部２１は、ＷＰＡＮに対応したコーデック２２によって符号化された符号化データ列を送信シンボル列に変換し、送信シンボル列を搬送波周波数と掛け合わせて無線周波数信号（ＲＦ１）を生成する。また、ＷＰＡＮ送受信部２１は、アンテナ２０により受信された無線周波数信号から符号化データ列を復調し、これをコーデック２２に供給する。
【００４４】
一方、バイパスモード時の動作は以下の通りである。バイパスモードでは、コーデック２３及び２２による誤り訂正復号及び再符号化が省略される。このため、ＷＰＡＮ送受信部２１は、後述するＷＷＡＮ送受信部２４によって復調された符号化ユーザデータを入力して変調処理を行う。同様に、ＷＰＡＮ送受信部２１によって受信信号から復調された符号化ユーザデータは、コーデック２２及び２３を経由せずにＷＷＡＮ送受信部２４に送られる。なお、ＷＰＡＮ送受信部２１とＷＷＡＮ送受信部２４との間でのデータ送受信は、処理タイミングの調整のためにデータバッファ（不図示）を介して行えばよい。
【００４５】
ＷＷＡＮ送受信部２４は、アンテナ２５を介して基地局５０との間で無線通信を行う。通常モードでは、ＷＷＡＮ送受信部２４は、ＷＷＡＮに対応したコーデック２３との間で符号化ユーザデータの送受を行う。一方、バイパスモードでは、ＷＷＡＮ送受信部２４によって受信信号から復調された符号化ユーザデータは、コーデック２３及び２２を経由せずにＷＰＡＮ送受信部２１に送られる。
【００４６】
なお、バイパスモードを使用する場合であっても、ＷＰＡＮの制御ために無線局１と中継局２との間で転送される制御データの符号化／復号化は、ＷＰＡＮに適合したコーデック２２によって行われる。このため、ＷＰＡＮ送受信部２１によって復調された符号化された制御データは、ＷＰＡＮに対応したコーデック２２に送られる。同様に、ＷＷＡＮ送受信部２４によって復調された符号化された制御データは、ＷＷＡＮに対応したコーデック２３に送られる。例えば、ＷＷＡＮがＷＣＤＭＡである場合、ＷＷＡＮに関する制御データには、ＰＩＬＯＴビット、ＴＦＣＩビット、ＦＢＩビット等が含まれる。ＴＦＣＩビットは、上りリンクのトランスポートチャネル多重数、チャネルフォーマットを示す情報である。ＦＢＩビットは、送信電力制御（ＴＰＣ：transmission power control）に関する応答情報である。
【００４７】
モード制御部２６は、通常モードとバイパスモードの切り替えを制御する。モード制御部２６による通信モード切り替え判定の具体例については後述する。
【００４８】
次に、ＷＷＡＮ送受信部２４の構成例について図６を用いて説明する。図６は、一例としてＤＳ−ＳＳ方式、具体的にはＷＣＤＭＡ方式の無線送受信部１２を示している。マルチプレクサ２４００は、符号化されたユーザデータと符号化された制御データ／制御チャネルを多重化する。シンボルマッパ２４０１は、マルチプレクサ２４００から供給される符号化データ列を複素シンボル列に変換する。シンボルマッパ２４０１によるマッピングは、ＷＣＤＭＡの１次変調方式に従って行われる。
【００４９】
拡散部２４０２は、シンボルマッパ２４０１により生成されたシンボル列に拡散コードを掛け合わせることにより拡散変調を行う。拡散変調後のシンボル列は、ＤＡコンバータ２４０３により連続信号に変換された後に直交変調部２４０４に供給される。
【００５０】
直交変調部２４０４は、ローカル発振器２４０６により生成される搬送波周波数信号とＤＡコンバータ２１０３から供給されるベースバンド信号を掛け合わせて無線周波数信号（ＲＦ２）を生成する。無線周波数信号は、送信パワーアンプ２４０５によって増幅された後にアンテナ２５に供給される。
【００５１】
低雑音アンプ２４０７からデマルチプレクサ２４１２に至る信号経路では、アンテナ２５により受信された無線周波数信号に対して上述した送信信号に対する処理と逆の処理が行われる。低雑音アンプ２４０７は、アンテナ２５により受信された無線周波数信号を増幅して直交復調部２４０８に供給する。
【００５２】
直交復調部２４０８は、受信した無線周波数信号を搬送波周波数信号と掛け合わせることで、ベースバンド帯域にダウンコンバートする。ダウンコンバート後の受信信号は、ＡＤコンバータ２４０９によりサンプリング（つまり符号判定）された後に逆拡散部２４１０に供給される。
【００５３】
逆拡散部２４１０は、ＡＤコンバータ２４０９によってサンプリングされたベースバンド信号に対する逆拡散処理を行い、受信シンボル列を生成する。逆拡散部２４１０は、例えばマッチドフィルタを用いて構成される。シンボルデマッパ２４１１は、逆拡散部２４１０によって生成された受信シンボル列に対する判定処理を行って、受信データ列を復調する。デマルチプレクサ２４１２は、ユーザデータと制御データを分離する。
【００５４】
図７Ａ及び７Ｂは、近距離無線局１から送信されるユーザデータが基地局５０に転送される際の信号転送経路を、通常モード及びバイパスモードそれぞれの場合について示した概念図である。図７Ａに示すように、通常モードでは、ＷＰＡＮに対応した伝送路復号化及びＷＷＡＮに対応した再符号化が中継局２によって実行される。一方、図７Ｂに示すバイパスモードでは、これらの伝送路復号化及び再符号化が省略される。
【００５５】
上述したように、本実施の形態にかかる中継局２は、中継するユーザデータに対する伝送路復号化及び再符号化を省略できる。このため、伝送路復号化及び再符号化に伴う消費電力を削減することができる。また、中継局２は、伝送路復号化及び再符号化を省略しない通常モードと省略するバイパスモードとを切り替え可能である。例えば、中継局２は、ＷＰＡＮ区間の伝送路品質が低い場合に通常モードを選択すればよい。これにより、ＷＰＡＮ区間での符号誤りの多発に起因して実効的な通信速度が低下することを防止できる。
【００５６】
続いて以下では、通常モードとバイパスモードの間の変更処理について図８〜１０を用いて説明する。図８は、モード制御部１４及び２６によるモード変更判定の具体例を示すフローチャートである。ステップＳ１０１では、モード制御部１４（２６）は、ＷＰＡＮ区間の伝送路品質を取得する。例えば無線局１の場合、伝送路品質としては、直交復調部１２０８又はＡＤコンバータ１２０９において得られるＲＳＳI（Received Signal Strength Indicator）、シンボルデマッパ１２１１において得られるＬＱＩ（Link Quality Indicator）、ＷＰＡＮ伝送路コーデック１０において得られる符号誤り率（ＢＥＲ：Bit Error Rate）等を取得すればよい。なお、伝送路品質の測定は、上述したＲＳＳＩ、ＬＱＩ及びＢＥＲのいずれか１つのみではなく、２つ以上の指標について行ってもよい。
【００５７】
ステップＳ１０２では、モード制御部１４（２６）は、伝送路品質のレベルが予め定められた閾値を超えるか否かを判定する。品質レベルが閾値を超えて良好な場合、モード制御部１４（２６）は、バイパスモードへの変更を決定する（Ｓ１０３）。一方、伝送路品質レベルが基準を満たさない（閾値を下回る）場合、モード制御部１４（２６）は、通常モードへの変更を決定する（Ｓ１０４）。なお、上述した伝送路品質は、一般的に、ＷＰＡＮ区間の通信距離と相関を有している。このため、ステップＳ１０２における判定は、無線局１と中継局２との通信距離（近接度）を判定していると言い換えることもできる。
【００５８】
図８に示した判定処理は、ＷＰＡＮ伝送路を伝搬した無線信号を受信する装置側で行えばよい。例えば、無線局１から中継局２へ向かう上り方向では、中継局２のモード制御部２６が伝送路品質を計測し、モード変更判定を行えばよい。また、中継局２から無線局１へ向かう下り方向では、無線局１のモード制御部１４が伝送路品質を計測し、モード変更判定を行えばよい。
【００５９】
また、モード変更判定は、無線局１又は中継局２のいずれか一方が集中的に行ってもよい。例えば、無線局１のモード制御部１４が集中的に行う場合であれば、中継局２は伝送路品質の測定結果を無線局１に送信すればよい。また、無線局１のモード制御部１４は、下り伝送路の品質が良好である場合に、下り方向と上り方向をまとめて通常モードからバイパスモードに切り替えてもよい。
【００６０】
次に、無線局１から中継局２へ向かう上り方向のデータ送信を通常モードからバイパスモードに切り替える際の動作について図９及び１０を用いて具体的に説明する。図９は、近距離無線局１及び中継局２の相互作用を示すシーケンス図である。図１０は、図９に対応したデータ送受信タイミングを示す図である。データ送受信に関する符号２０１ＴＸ／ＲＸ〜２０８ＴＸ／ＲＸは、図９と図１０とで相互に対応している。図９及び１０において、"ＴＸ"はデータ送信を意味し、"ＲＸ"はデータ受信を意味する。
【００６１】
図９のシーケンス図の先頭部分では、無線局１と中継局２との間でＷＰＡＮのビーコン２０１及び２０２が通常モードで送受信される。次に、無線局１は、ＷＰＡＮの伝送路符号化規則に従って符号化されたデータ２０３を中継局２に送信する。次に、タイミング２０４において、中継局２は、無線局１からのデータ受信結果に基づいてバイパスモードへの変更可否を判定する。次に、中継局２は、ＷＷＡＮの伝送路符号化規則に従って符号化されたデータ２０５を基地局５０に送信する。
【００６２】
タイミング２０４においてバイパスモードへの変更を判定した場合、中継局２は、ＷＷＡＮ符号化によるデータ送信許可２０６を無線局１に送信する。ＷＷＡＮ符号化によるデータ送信許可２０６を受信した無線局１は、ＷＷＡＮの伝送路符号化規則に従ってユーザデータを符号化し、このデータ２０７を中継局２に送信する。中継局２は、無線局１から受信した符号化されたデータ２０７をバイパスモードで基地局５０に送信する（データ２０８）。
【００６３】
図８〜１０を用いて説明したモード変更例によれば、ＷＰＡＮ伝送路の品質レベルに応じて通信モードの変更を行うことができる。ＷＰＡＮ伝送路の品質レベルが所定の基準を満たすことを条件としてバイパスモードに遷移することによって、バイパスモードの利用をＷＰＡＮ伝送路品質が良好な場合に限定できる。ＷＰＡＮ伝送路品質が良好な場合とは、例えば、無線局１と中継局２が十分に近接して配置されている場合である。これにより、無線局１及び中継局２は、ＷＰＡＮ区間での誤り発生に起因して実効的な通信速度が低下することを防止できる。
【００６４】
ところで、上述したモード制御部１４及び２６によるモード変更判定処理は、ＡＳＩＣ、ＤＳＰ等の半導体処理装置を用いて実現してもよい。また、このモード変更判定処理は、無線送受信部１２、２１又は２４、コーデック１０、１１、２２又は２３と共通のＡＳＩＣ、ＤＳＰとして実現してもよい。
【００６５】
また、モード変更判定処理は、図８を用いて説明した判定手順を記述した制御プログラムをマイクロプロセッサ等のコンピュータに実行させることによって実現してもよい。この制御プログラムは、様々な種類の記憶媒体に格納することが可能であり、また、通信媒体を介して伝達されることが可能である。ここで、記憶媒体には、例えば、フレキシブルディスク、ハードディスク、磁気ディスク、光磁気ディスク、ＣＤ−ＲＯＭ、ＤＶＤ、ＲＯＭカートリッジ、バッテリバックアップ付きＲＡＭメモリカートリッジ、フラッシュメモリカートリッジ、不揮発性ＲＡＭカートリッジ等が含まれる。また、通信媒体には、電話回線等の有線通信媒体、マイクロ波回線等の無線通信媒体等が含まれ、インターネットも含まれる。
【００６６】
＜その他の実施の形態＞
上述した発明の実施の形態１では、無線局１及び中継局２の双方向についてバイパスモードへの切り替えが可能な構成例について説明した。しかしながら、通常モードとバイパスモードとの切り替えは、上り方向と下り方向のいずれか一方向についてのみ行ってもよい。
【００６７】
また、上述した発明の実施の形態１では、中継局２が、ＷＰＡＮとＷＷＡＮとの間でデータ中継を行う場合について説明した。しかしながら、中継局２がデータ中継を行うネットワークの組み合わせは特に限定されるものではない。例えば、中継局２は、ＷＰＡＮとＷＬＡＮとの間でデータ中継を行ってもよい。また、中継局２は、ＷＬＡＮとＷＷＡＮとの間でデータ中継を行ってもよい。
【００６８】
以上、実施の形態を参照して本願発明を説明したが、本願発明は上記によって限定されるものではない。本願発明の構成や詳細には、発明のスコープ内で当業者が理解し得る様々な変更をすることができる。
【００６９】
この出願は、２００８年１２月１１日に出願された日本出願特願２００８−３１５２４０を基礎とする優先権を主張し、その開示の全てをここに取り込む。
【符号の説明】
【００７０】
１  近距離無線局
２  中継局
１０  ＷＰＡＮ伝送路コーデック
１１  ＷＷＡＮ伝送路コーデック
１２  ＷＰＡＮ送受信部
１３  アンテナ
１４  モード制御部
２０  アンテナ
２１  ＷＰＡＮ送受信部
２２  ＷＰＡＮ伝送路コーデック
２３  ＷＷＡＮ伝送路コーデック
２４  ＷＷＡＮ無線送受信部
２５  アンテナ
２６  モード制御部
５０  基地局
１０００  ＦＥＣエンコーダ
１００１  インタリーバ
１００２  デインタリーバ
１００３  誤り訂正デコーダ
１２００  マルチプレクサ
１２０１  シンボルマッパ
１２０２  ＩＦＦＴ部
１２０３  ＤＡコンバータ
１２０４  直交変調部
１２０５  送信パワーアンプ
１２０６  ローカル発振器
１２０７  低雑音アンプ
１２０８  直交復調部
１２０９  ＡＤコンバータ
１２１０  ＦＦＴ部
１２１１  シンボルデマッパ
１２１２  デマルチプレクサ
２４００  マルチプレクサ
２４０１  シンボルマッパ
２４０２  拡散部
２４０３  ＤＡコンバータ
２４０４  直交変調部
２４０５  送信パワーアンプ
２４０６  ローカル発振器
２４０７  低雑音アンプ
２４０８  直交復調部
２４０９  ＡＤコンバータ
２４１０  逆拡散部
２４１１  シンボルデマッパ
２４１２  デマルチプレクサ
【図１】
0005477298.tif 000002
【図２】
0005477298.tif 000003
【図３】
0005477298.tif 000004
【図４】
0005477298.tif 000005
【図５】
0005477298.tif 000006
【図６】
0005477298.tif 000007
【図７Ａ】
0005477298.tif 000008
【図７Ｂ】
0005477298.tif 000009
【図８】
0005477298.tif 000010
【図９】
0005477298.tif 000011
【図１０】
0005477298.tif 000012